(57)【特許請求の範囲】
【請求項１】
計器の端子部において保護パネルを固定するために形成された孔に挿通、固定が可能な先端部と、この先端部に対しその軸方向に沿って延びた棒状部とから構成されていると共に、
前記棒状部の前記先端部とは反対側に当該棒状部の軸方向に沿って延びる有底孔が形成されており、前記有底孔の内部は、計器の端子部の表面に前記保護パネルを固定するために用いることが可能な固定用具の一部が挿通可能な形状を成していることを特徴とする取付用器具。
【請求項２】
前記棒状部のうち有底孔の開口部を有する面には、ドライバーの先端部が係合することの可能な溝部が前記有底孔と重なって形成されていることを特徴とする請求項１に記載の取付用器具。
【請求項３】
前記先端部と前記棒状部との境界部位には、これらの先端部及び棒状部に対しその径方向に沿って延びるワッシャーが設けられていることを特徴とする請求項１又は請求項２に記載の取付用器具。
【請求項４】
２以上の孔が形成された計器の端子部と、
この端子部の孔と前記端子部の表面に固定される保護パネルに形成された通孔とに挿通可能な固定用具と、
前記端子部及びその近傍部位を覆うように設置されることが可能であると共に最適な設置時において前記端子部の孔と連通する通孔が形成された端子部保護カバーと、
前記計器の端子部の孔に挿通、固定が可能な先端部と、この先端部に対しその軸方向に沿って延びた棒状部とから構成されていると共に、前記棒状部の前記先端部とは反対側に当該棒状部の軸方向に沿って延びる有底孔が形成されており、前記有底孔の内部は、前記固定用具が挿入可能な形状を成している取付用器具とより構成され、
前記計器の端子部に前記取付用器具の先端部が挿通することで前記端子部と前記取付用器具とが固定されており、前記端子部保護カバーが前記取付用器具の棒状部の有底孔の周縁面に当接し、且つその通孔が当該棒状部の有底孔と連通するように設置されていると共に、前記固定用具が前記端子部保護カバーの通孔及び前記取付用器具の棒状部の有底孔に挿通されることで、前記端子部保護カバーと前記端子部とが前記取付用器具及び前記固定用具を介して連結されていることを特徴とする端子部保護カバーの取付構造。
【請求項５】
２以上の孔が形成された計器の端子部と、
この端子部の孔と前記端子部の表面に固定される保護パネルに形成された通孔とに挿通可能な固定用具と、
前記端子部及びその近傍部位を覆うように設置されることが可能であると共に最適な設置時において前記端子部の孔と連通する通孔が形成された端子部保護カバーと、
前記計器の端子部の孔に挿通、固定が可能な先端部と、この先端部に対しその軸方向に沿って延びた棒状部とから構成されていると共に、前記棒状部の前記先端部とは反対側に当該棒状部の軸方向に沿って延びる有底孔が形成されており、前記有底孔の内部は、前記固定用具が挿入可能な形状を成している取付用器具とを用いた端子部保護カバーの取付方法であって、
前記計器の端子部の孔に前記取付用器具の先端部を挿通させて前記取付用器具と前記端子部とを固定する工程と、
前記端子部保護カバーを、前記取付用器具の棒状部の有底孔の周縁面に当接すると共にその通孔が前記取付用器具の棒状部の有底孔と連通するように設置する工程と、
前記固定用具を、前記端子部保護カバーの通孔及び前記取付用器具の棒状部の有底孔に挿通させて前記端子部保護カバーと前端子部とを連結する工程とから成ることを特徴とする端子部保護カバーの取付方法。
【発明の詳細な説明】
【技術分野】
【０００１】
この発明は、例えば使用電力量を計測して表示する電力量計等の計器における端子部及びその近傍部位を覆うための端子部保護カバーの取付構造、この端子部保護カバーを端子部に取付けるための取付用器具、及び端子部保護カバーの端子部への取付方法に関するものである。
【背景技術】
【０００２】
この種の電力量計の端子部の表面への保護パネルの取り付けは、例えば特許文献１に示されるように、端子ブロック（本願の端子部と同義。）の電力量計の正面のうち幅方向両側に螺子孔を設け、端子カバー（本願の保護パネルと同義。）に対しても当該端子カバーを端子ブロックに合わせた際に端子ブロックの螺子孔と一致する部位に貫通孔を設けて、端子カバーで端子ブロックの表面を覆うと共に、螺子を端子カバーの貫通孔に挿通させた後、端子ブロックの螺子孔に挿通させ、螺合させることにより行っている。
【０００３】
一方、電力量計の端子部の表面を覆う保護パネルが無断で取り外されるという不正行為を防止するために、例えば特許文献２に示されるような封印構造が、本願出願人等によって既に公知となっている。
【特許文献１】特開２００７−１０６１３号公報
【特許文献２】特開２００６−６５００７号公報
【発明の開示】
【発明が解決しようとする課題】
【０００４】
これに対し、本願出願人は、電力量計全体を覆う計器ボックスや複数の電力量計を覆う集合計器ボックス等に収納しない構造の電力量計については、図５に示されるように、電力量計１００の端子部１０１の表面側を覆う保護パネル１０２を封印具で封印した後、更にこの保護パネル１０２で覆われた端子部１０１及びその近傍部位を包み込むかたちで覆う端子部保護カバー１０３を使用している。
【０００５】
もっとも、上記に示す端子部保護カバーの取付構造では、当該端子部保護カバー１０３を固定するために、当該端子部保護カバー１０３に設けられた通孔１０４から長尺の木螺子１０５を挿入し、電力量計１００が固定された計器板１０６に設けられた螺子孔１０７に木螺子１０５の先端部を挿入、螺合する構成となっているところ、端子部保護カバー１０３ら計器板１０６の面まで３７ｍｍから５５ｍｍの間隔があり、しかも、螺子孔１０７の位置を端子部保護カバー１０３の外部から確認することができないため、木螺子１０５の先端部を計器板１０６の螺子孔１０７まで導くのが困難である。そして、端子部１０１から端子部保護カバー１０３内に引き出された配線１０８についてもその位置を端子部保護カバー１０３の外部から目視できないので、木螺子１０５を端子部保護カバー１０３の通孔１０４から計器板１０６まで挿入させてゆく際に配線１０８を誤って損傷させるおそれもある。
【０００６】
また、上記に示す端子部保護カバー１０３の形態では、上記した不具合により、端子部保護カバー１０３から計器板１０６までの間隔を、木螺子１０５を計器板１０６の螺子孔１０７まで容易に導いて挿入させることが可能なように現在よりも大きく採ることができないところ、これでは、端子部保護カバー１０３の木螺子１０５の挿入方向に沿った寸法Ｗ１を例えば電力量計１００の厚みと略同じ寸法に確保することができず、端子部保護カバー１０３で覆われた際における内部の容積量が相対的に小さいままとなるので、無停電端子や遠隔送電制御装置等の追加的な機器類を端子部保護カバー１０３内に収納することが困難である。
【０００７】
そこで、本発明は、端子部保護カバーについて簡易に且つ端子部から引き出された配線を損傷させることなく端子部に取付けることを可能とし、これに伴い、端子部に取付けられた状態の端子部保護カバーの形状を、取付用器具の挿通方向において、所望の機器類を収納可能な大きさに拡張することも可能とした、取付用器具、端子部保護カバーの取付構造及び端子部保護カバーの取付方法を提供することを目的とする。
【課題を解決するための手段】
【０００８】
この発明に係る取付用器具は、計器の端子部において保護パネルを固定するために形成された孔に挿通、固定が可能な先端部と、この先端部に対しその軸方向に沿って延びた棒状部とから構成されていると共に、前記棒状部の前記先端部とは反対側に当該棒状部の軸方向に沿って延びる有底孔が形成されており、前記有底孔の内部は、計器の端子部の表面に前記保護パネルを固定するために用いることが可能な固定用具の一部が挿通可能な形状を成していることを特徴としている（請求項１）。このような構造によれば、計器の端子部に対し特に変更を加えなくても良いので、既存の計器の端子部にそのまま取付用器具を取り付けることが可能である。また、このような構造によれば、これまで保護パネルを端子部の孔に挿通、螺合して固定するために用いてきた既存の固定用具をそのまま用いることができる。尚、計器とは例えば電力量計のことであり、固定用具とは例えば固定用螺子のことであり、取付用器具は例えば取付用ビスのことであって、これらは以下においても同様である。また、端子部の孔及び取付用器具の有底孔は例えば螺子孔となっている。
【０００９】
かかる取付用器具は、前記棒状部のうち有底孔の開口部を有する面には、ドライバーの先端部が係合することの可能な溝部が前記有底孔と重なって形成されている（請求項２）。このように溝部の形状をいわゆるマイナスの記号状又はプラスの記号状とすることにより、マイナスドライバー又はプラスドライバーを有底孔に差し込んで回転させることで、取付用器具全体を任意の方向に回転させることが可能となる。
【００１０】
また、かかる取付用器具は、前記先端部と前記棒状部との境界部位には、これらの先端部及び棒状部に対しその径方向に沿って延びるワッシャーが設けられている（請求項３）。これにより、取付用器具を計器の端子部に固定した際に取付用器具にがたつきが生ずるのを防止することが可能となる。
【００１１】
そして、端子部保護カバーの取付構造は、２以上の孔が形成された計器の端子部と、この端子部の孔と前記端子部の表面に固定される保護パネルに形成された通孔とに挿通可能な固定用具と、前記端子部及びその近傍部位を覆うように設置されることが可能であると共に最適な設置時において前記端子部の孔と連通する通孔が形成された端子部保護カバーと、前記計器の端子部の孔に挿通、固定が可能な先端部と、この先端部に対しその軸方向に沿って延びた棒状部とから構成されていると共に、前記棒状部の前記先端部とは反対側に当該棒状部の軸方向に沿って延びる有底孔が形成されており、前記有底孔の内部は、前記固定用具が挿入可能な形状を成している取付用器具とより構成され、前記計器の端子部に前記取付用器具の先端部が挿通することで前記端子部と前記取付用器具とが固定されており、前記端子部保護カバーが前記取付用器具の棒状部の有底孔の周縁面に当接し、且つその通孔が当該棒状部の有底孔と連通するように設置されていると共に、前記固定用具が前記端子部保護カバーの通孔及び前記取付用器具の棒状部の有底孔に挿通されることで、前記端子部保護カバーと前記端子部とが前記取付用器具及び前記固定用具を介して連結されていることを特徴としている（請求項４）。尚、端子部保護カバーと計器の端子部との間に保護パネルを介在させ、この保護パネルも取付用器具の先端部を介して端子部保護カバー及び計器の端子部と連結される構造とすることが可能である。
【００１２】
そして、端子部保護カバーの取付方法は、以上の孔が形成された計器の端子部と、この端子部の孔と前記端子部の表面に固定される保護パネルに形成された通孔とに挿通可能な固定用具と、前記端子部及びその近傍部位を覆うように設置されることが可能であると共に最適な設置時において前記端子部の孔と連通する通孔が形成された端子部保護カバーと、前記計器の端子部の孔に挿通、固定が可能な先端部と、この先端部に対しその軸方向に沿って延びた棒状部とから構成されていると共に、前記棒状部の前記先端部とは反対側に当該棒状部の軸方向に沿って延びる有底孔が形成されており、前記有底孔の内部は、前記固定用具が挿入可能な形状を成している取付用器具とを用いた端子部保護カバーの取付方法であって、前記計器の端子部の孔に前記取付用器具の先端部を挿通させて前記取付用器具と前記端子部とを固定する工程と、前記端子部保護カバーを、前記取付用器具の棒状部の有底孔の周縁面に当接すると共にその通孔が前記取付用器具の棒状部の有底孔と連通するように設置する工程と、前記固定用具を、前記端子部保護カバーの通孔及び前記取付用器具の棒状部の有底孔に挿通させて前記端子部保護カバーと前端子部とを連結する工程とから成ることを特徴としている（請求項５）。ここで、計器の端子部に保護パネルを仮装着した後、端子部の孔と保護パネルの通孔とに取付用器具の先端部を挿通させる工程を経ることも可能である。
【００１３】
これらにより、端子部保護カバーを固定するためには、固定用具を端子部保護カバーの通孔及び取付用器具の有底孔に挿通、螺合させれば良くなり、端子部保護カバーに設けられた通孔から長尺の木螺子を挿入して、電力量計が固定された計器板に設けられた螺子孔まで導く必要がなくなる。そして、取付用器具の棒状部の軸方向に沿った寸法を相対的に大きく採ることにより、計器板から端子部略カバーの計器板と対峙する面までの幅を大きく設定することができるので、端子部保護カバー内の収納容積を拡大させることが可能となる。
【発明の効果】
【００１４】
以上のように、請求項１に記載の発明によれば、計器の端子部に対し特に変更を加えなくても良いので、既存の計器の端子部にそのまま取付用器具を取り付けることが可能である。また、請求項１に記載の発明によれば、これまで保護パネルを端子部の孔に挿通、螺合して固定するために用いてきた既存の固定用具をそのまま用いることができる。よって、この発明を用いることによるコストの上昇を抑制することが可能である。
【００１５】
特に請求項２に記載の発明によれば、溝部の形状をいわゆるマイナスの記号状又はプラスの記号状とすることにより、マイナスドライバー又はプラスドライバーを取付用器具の有底孔に差し込んで回転させることで、取付用器具全体を任意の方向に回転させることが可能となるため、取付用器具の計器の端子部への取り付け及び取り外しが簡易となるので、端子部保護カバーの着脱作業の効率化、迅速化を図ることができる。
【００１６】
また、特に請求項３に記載の発明によれば、取付用器具を計器の端子部に固定した際にワッシャーが端子部の面に相対的に広範囲に渡って当接するので、取付用器具にがたつきが生ずるのを防止することが可能となる。
【００１７】
請求項４に記載の発明及び請求項５に記載の発明によれば、端子部保護カバーを固定するために、固定用具を端子部保護カバーの通孔及び取付用器具の有底孔に挿通、螺合させれば良く、端子部保護カバーに設けられた通孔から長尺の木螺子を挿入して、電力量計が固定された計器板に設けられた螺子孔まで導く必要がないので、端子部保護カバーを固定するための作業が簡易となり、端子部保護カバーを固定する作業中に端子部から端子部保護カバー内に引き出された配線を損傷させることもなくなる。しかも、取付用器具の棒状部の軸方向に沿った寸法を相対的に大きく採ることにより、計器板から端子部略カバーの計器板と対峙する面までの幅を大きく設定することができるので、端子部保護カバー内の収納容積を拡大させることが可能となり、無停電端子や遠隔送電制御装置等の追加的な機器を収納することができるようになる。
【発明を実施するための最良の形態】
【００１８】
以下、この発明の実施形態の形態を図面に基づいて説明する。
【００１９】
図１から図４において、端子部保護カバー１３を電力量計１の端子部３に取付けるための取付用ビス２１及び端子部保護カバー１３自体の構造、並びに、端子部保護カバー１３の電力量計１の端子部３への取り付け方法が示されている。
【００２０】
この発明で用いられる電力量計１自体は公知のものであって、図１及び図２に示されるように、計器部２と端子部３とで構成されて、計器板１２に固定されている。このうち、端子部３は、複数（この実施例では６つ）の端子４が内蔵されていると共に、この端子４から当該端子４の数に応じた本数の配線５が下方に向けて引き出されたものとなっている。そして、端子部３の表面３ａのうち端子４の最も側縁側よりもさらに側縁側において螺子孔６が形成されている。さらに、この端子部３の表面３ａは、保護パネル７の裏面が当接することで端子４が外部から見えないように覆われる。
【００２１】
保護パネル７も、この発明では公知のものを用いることが可能であって、この実施例では、図１に示されるように、端子部３の表面形状と略同じ形状の薄板状のパネル本体８と、このパネル本体８に対し、端子部３の表面に適宜に当接した際に端子部３の螺子孔６と連通する位置に形成された通孔９と、パネル本体３の一部を切り起こすことで形成されて、図示しない封印具の紐状部材が挿通可能な孔１０を有する切り起こし部１１とで構成されている。
【００２２】
端子部保護カバー１３は、端子部３及びその近傍部位を電力量計の無断使用の防止等の見地から覆い隠すためのもので、この実施例では、図１及び図２に示されるように、薄い板状の１つの表板１４、薄い板状の２つの側板１５、及び薄い板状の１つの底板１６とより構成されている。もっとも、図示しないが、端子部３との関係で障害とならない限り、例えば薄い板状の上板を有するものであっても良いことは勿論である。
【００２３】
そして、端子部保護カバー１３のうち、側板１５の横幅は、電力量計１の計器部２の横幅と略同じ寸法をなしていると共に、表板１４には、端子部保護カバー１３を適宜に端子部３及びその近傍部位を覆うように設置した際に、それぞれの端子部３の螺子孔６に対しその軸線上となる位置に通孔１７が形成されている。更に、端子部保護カバー１３は、表板１４の一部を切り起こすことで形成されて、図示しない封印具の紐状部材が挿通可能な孔１８を有する切り起こし部１９を有している。
【００２４】
取付用ビス２１は、端子部３及び保護パネル７と端子部保護カバー１３とを連結するための器具で、図１、図３及び図４に示されるように、螺子切りされた先端部２２と、この先端部２２に対しその軸方向に沿って延びた棒状部２３とで基本的に構成されている。
【００２５】
このうち、先端部２２は、端子部３の螺子孔６に挿通、螺合されるもので、これに伴い、後述する固定用螺子２８の螺子本体３１と略同じ径寸法と長手寸法とを有している。
【００２６】
これに対し、棒状部２３は、手等で回しやすいように、この実施例では六角柱形状をなしていると共に、その長手方向に沿った寸法は、端子部保護カバー１３を装着した際における、端子部保護カバー１３の表板１４の内側面から保護パネル７の表面７ａまでの寸法と略同じとなっている。また、棒状部２３は、その先端部２２側とは反対側の面２３ａから当該棒状部２３の軸方向に沿って延びる螺子切りされた有底孔２４が形成されている。この有底孔２４の長手方向寸法は、後述する固定用螺子２８の螺子本体３１の長手方向寸法と略同じとなっている。
【００２７】
更に、棒状部２３の面２３ａには、特に図２（Ａ）に示されるように、マイナスの記号形状の溝部２５が有底孔２４を通るように形成されており、所定のマイナスドライバーの先端部をこの溝部２５に係合させて棒状部２３、ひいては取付用ビス２１全体を所定方向に回転させることが可能となっている。但し、溝部２５の形状は上記に限定されず、プラスドライバー用にプラス記号形状であっても良い。
【００２８】
そして、棒状部２３の先端部２２側において当該先端部２２との境界となる部位から棒状部２３の径方向に沿って延びる円板状のワッシャー２６を有している。このワッシャー２６は、図４上では棒状部２３と一体形成されているが、必ずしもこれに限定されず、取付用ビス２１と別部材であっても良いものである。これにより、取付用ビス２１の先端部２２を端子部３の螺子孔６に挿通、螺合させた際に、ワッシャー２６が端子部３の表面３ａに接するので、取付用ビス２１の安定が得られ、取付用ビス２１にがたつきが生ずるのを防止することができる。
【００２９】
図１及び図２に示されている固定用螺子２８は、これまで端子部３の螺子孔６と保護パネル７の通孔９とに挿通して、保護パネル７を端子部３に螺合し固定するために用いられていたものと同じであり、図示しない封印具の紐状部材が挿通される貫通孔２９が形成された頭部３０と螺子本体３１とを有して構成されている。そして、固定用螺子２８の頭部３０には、この実施例ではプラス記号形状の溝部３２が形成されている。
【００３０】
上記した端子部３、保護パネル７、取付用ビス２１、端子部保護カバー１３、及び固定用螺子２８の構造に基づき、端子部保護カバー１３の端子部３への取付方法について、図１及び図２に基づいて以下に説明する。但し、図示しない封印具で封印する過程は省略した。
【００３１】
まず、電力量計１の端子部３に対し保護パネル７を、端子部３の螺子孔６と保護パネル７の通孔９とが連通するように当接させ、その状態を維持しつつ取付用ビス２１の先端部２２を保護パネル７の通孔９から端子部３の螺子孔６の一部までの範囲で挿通させる。第２に、棒状部２３を手等で持って回転させることで、取付用ビス２１の先端部２２を端子部３の螺子孔６内に侵入させてゆき、保護パネル７と端子部３とをこの取付用ビス２１を介して固定された状態とする。第３に、端子部保護カバー１３について、保護パネル７が固定された状態の端子部３及びその近傍部位を覆うように装着する。この場合に、端子部保護カバー１３の表板１４と取付用ビス２１の棒状部２３の面２３ａとが当接すると共に、端子部保護カバー１３の通孔１７と取付用ビス２１の棒状部２３の有底孔２４とが連通するように配置する。最後に、固定用螺子２８の螺子本体３１を端子部保護カバー１３の通孔１７から取付用ビス２１の棒状部２３の有底孔２４に向けて挿入し、ドライバー等で固定用螺子２８を回転させる。これにより、固定用螺子２８の螺子本体３１が棒状部２３の有底孔２４内に侵入していくので、端子部保護カバー１３と取付用ビス２１とが固定用螺子２８を介して連結される。尚、端子部保護カバー１３を取り外すには、上記方法に示された過程と逆の過程を経れば良い。
【００３２】
しかるに、取付用ビス２１の先端部２２を挿入させる際には保護パネル７と端子部３の面３ａとは接しており、固定用螺子２８の螺子本体３１を挿入させる際には端子部保護カバー１３と取付用ビス２１とが接しており、螺合しようとする対象同士が離れていないので、取付用ビス２１の挿通、螺合作業及び固定用螺子２８の挿通、螺合作業の双方について、作業の簡略化、迅速化を図ることができる。
【００３３】
また、取付用ビス２１も、固定用螺子２８も、端子部保護カバー１３内で且つ端子部３よりも下方の位置において、計器板１２に向けて挿通されていかないので、端子部３から端子部保護カバー１３内に引き出された配線５が取付用ビス２１の先端部２２や固定用螺子２８の螺子本体３１によって損傷する危険がなくなる。
【００３４】
しかも、端子部保護カバー１３内の取付用ビス２１の挿通方向に沿った寸法について、
取付用ビス２１及び固定用螺子２８の挿通作業を考慮する必要がなくなるので、上記したように、側板１５の横幅を電力量計１の計器部２の横幅と略同じ寸法とすることが可能となり、これに伴い、図２（Ｂ）に示されるように、端子部保護カバー１３のうち取付用ビス２１の挿通方向に沿った寸法の数値Ｗ２を、既存の図５（Ｂ）に示す数値Ｗ１よりも相対的に大きくすることができる。よって、図示しないが、無停電端子や遠隔送電制御装置等の追加的な機器類を端子部保護カバー１３内に収納することが可能である。
【図面の簡単な説明】
【００３５】
【図１】図１は、既存の固定用具と、同上の取付用器具と、貫通孔の位置を工夫した端子部保護カバーと、既存の電力量計の端子部とにおける、端子部保護カバーを組み付ける工程を示した斜視図である。
【図２】図２は、既存の固定用具と、同上の取付用器具と、同上の端子部保護カバーと、既存の電力量計の端子部とを組み付けた状態を示す説明図であって、図２（Ａ）はその正面図であり、図２（Ｂ）はその断面図である。
【図３】図３は、取付用器具の構造を示した概略説明図であって、図３（Ａ）はこの取付用器具について有底孔の開口側から見た状態の背面図であり、図３（Ｂ）はこの取付用器具についての側面図である。
【図４】図４は、同上の取付用器具の断面図である。
【図５】図５は、現在における電力量計の端子部への端子部保護カバーの取付構造の一例を示した説明図であって、図５（Ａ）はその正面図であり、図５（Ｂ）はその断面図である。
【符号の説明】
【００３６】
１  電力量計（計器）
３  端子部
３ａ  端子部の表面
５  配線
６  螺子孔（端子部の孔）
７  保護パネル
９  通孔
１３  端子部保護カバー
１７  通孔
２１  取付用ビス（取付用器具）
２２  先端部
２３  棒状部
２３ａ  棒状部の面
２４  有底孔
２５  溝部
２６  ワッシャー
２８  固定用螺子（固定用具）
【図１】
0005030731.tif 000002
【図２】
0005030731.tif 000003
【図３】
0005030731.tif 000004
【図４】
0005030731.tif 000005
【図５】
0005030731.tif 000006